(57)【特許請求の範囲】
【請求項１】
入隅コーナーを挟んで直角に連結した一対の軸組と、これら軸組間に跨って取り付けたＬ字型のコーナー外壁材と、このコーナー外壁材を挟むようにして各軸組に取り付けた平面外壁材とからなる建物外壁の入隅部において、一方の軸組側の外壁材から張り出して設けた勝手口庇の左右方向の一方の端部を、他方の軸組側のコーナー外壁材と平面外壁材との間の目地隙間から突出させた第１取付プレートと、他方の軸組側の平面外壁材とこれに隣接する平面外壁材との間の目地隙間から突出させた第２取付プレートに固定するとともに、前記第１取付プレートの基端部を、他方の軸組にアーム部材を介して連結し、前記アーム部材は、前記コーナー外壁材と平面外壁材との間の目地隙間に対して位置ずれした他方の軸組の入隅コーナー側の縦フレーム材に取り付けられる固定部と、前記第１取付プレートの基端部に取り付けられる保持部と、前記他方の軸組に沿って配され前記固定部と保持部とを連結する連結部とからなることを特徴とする勝手口庇の取付構造。
【発明の詳細な説明】
【０００１】
【発明の属する技術分野】
本発明は、勝手口の上方を覆うようにして建物外壁の入隅部に設けられる勝手口庇の取付構造に関する。
【０００２】
【従来の技術】
一般に、勝手口上方を覆う勝手口庇は、その勝手口が設けられた建物外壁から片持ち状に張り出して設けられている。
【０００３】
【発明が解決しようとする課題】
しかしながら、建物入隅部については、勝手口庇を建物外壁から片持ち状に張り出して設けたものにおいて、その取付状態が不安定で強度的に弱く、積雪等によって荷重がかかると、その荷重によって傾くか或いは脱落してしまう危険性があった。
【０００４】
本発明は、このような不具合を解消して、勝手口庇を強度的に強く安定した状態で取り付けることができる取付構造の提供を目的とする。
【０００５】
【課題を解決するための手段】
上記課題を解決するため、本発明は、入隅コーナーを挟んで直角に連結した一対の軸組と、これら軸組間に跨って取り付けたＬ字型のコーナー外壁材と、このコーナー外壁材を挟むようにして各軸組に取り付けた平面外壁材とからなる建物外壁の入隅部において、一方の軸組側の外壁材から張り出して設けた勝手口庇の左右方向の一方の端部を、他方の軸組側のコーナー外壁材と平面外壁材との間の目地隙間から突出させた第１取付プレートと、他方の軸組側の平面外壁材とこれに隣接する平面外壁材との間の目地隙間から突出させた第２取付プレートに固定するとともに、前記第１取付プレートの基端部を、他方の軸組にアーム部材を介して連結したことを特徴とする。
【０００６】
そして、前記アーム部材は、前記コーナー外壁材と平面外壁材との間の目地隙間に対して位置ずれした他方の軸組の入隅コーナー側の縦フレーム材に取り付けられる固定部と、前記第１取付プレートの基端部に取り付けられる保持部と、前記他方の軸組に沿って配され前記固定部と保持部とを連結する連結部とから構成されている。
【０００７】
【発明の実施の形態】
以下、本発明の一実施形態を図面に基づいて詳細に説明する。図１は建物外壁の入隅部における腕木及び取付プレートの取付状態を示す平面図、図２は同じくその斜視図、図３は腕木の取付状態を示す斜視図、図４は取付プレートの取付状態を示す斜視図、図５は勝手口庇の一部を破断した斜視図、図６は取付プレートへの勝手口庇の取付状態を示す縦断面図、図７は腕木への勝手口庇の取付状態を示す縦断面図、図８は勝手口庇の取付後の状態を斜め上方から見た斜視図である。
【０００８】
本実施形態に係る勝手口庇(１)は、図８に示すように、建物外壁に設けられた勝手口(２)の上方を覆うようにして、建物外壁の入隅部(３)に設けられている。入隅部(３)は、図１及び図２に示すように、入隅コーナーを挟んで互いに直角に連結された一対の軸組(４)(５)と、これら軸組(４)(５)間に跨るようにして取り付けられたＬ字型のコーナー外壁材(６)と、このコーナー外壁材(６)を挟むようにして各軸組(４)(５)に取り付けられた平面外壁材(７)(８)とから構成されている。
【０００９】
軸組(４)(５)は、リップ付き溝形鋼からなるフレーム材をその溝部が互いに内向きになるようにして方形枠状に連結してなり、これら軸組(４)(５)における入隅コーナー側の縦フレーム材(９)(10)が略Ｌ字型のコーナー材(11)に連結されている。そして、これら軸組(４)(５)の外面側のほぼ全面に亘って、コーナー外壁材(６)及び平面外壁材(７)(８)が取り付けられている。
【００１０】
(20)は、一方の軸組(４)側の外壁面(以下、一方の外壁面と称す。)における勝手口(２)上方で勝手口庇(１)を保持するための腕木、(21)は、一方の外壁面と直角な他方の軸組(５)側の外壁面（以下、他方の外壁面と称す。）に勝手口庇(１)の庇根元部分を固定するための取付部材としての第１取付プレート、(22)は、同じく他方の外壁面に勝手口庇(１)の庇先端部分を固定するための第２取付プレートを示している。
【００１１】
腕木(20)は、図３のように略Ｌ字型に形成され、その縦方向に長くなった基端部(23)が、一方の軸組(４)とこれに隣接する軸組(24)の互いに背中合わせに対向配置した縦フレーム材(25)(26)間の隙間へ差し込まれて上下一対のボルト(27)(27)で取り付けられ、横方向に長くなった先端部(28)が、平面外壁材(７)とこれに隣接する平面外壁材(29)との間の目地隙間(30)から外方へ突出するようにして取り付けられる。
【００１２】
第１取付プレート(21)は、図４のように略Ｌ字型に形成され、その縦方向に長くなった基端部(31)が、アーム部材(32)を介して他方の軸組(５)に連結され、その横方向に長くなった先端部(33)が、コーナー外壁材(６)と平面外壁材(８)との間の目地隙間(34)から外方へ突出するようにして取り付けられる。突出した先端部(33)には、垂直片がその先端部と直交するようにして取り付けられて庇固定部(35)とされている。
【００１３】
アーム部材(32)は、対面状態で配置された垂直な一対の垂直片を、平板状の連結片によって連結してなる。そして、一方の垂直片が他方の軸組(５)の入隅コーナー側の縦フレーム材(10)に上下一対のボルト(40)(40)で取り付けられる固定部(41)とされ、他方の垂直片が第１取付プレート(21)の基端部(31)に上下一対のボルト(42)(42)で取り付けられる保持部(43)とされ、連結片が他方の軸組(５)に沿って配される連結部(44)とされて、他方の軸組(５)で囲まれた範囲内に収まるようにして取り付けられる。
【００１４】
第２取付プレート(22)は、図４のように第１取付プレート(21)と同形状とされ、その縦方向に長くなった基端部(45)が、他方の軸組(５)とこれに隣接する軸組(46)の互いに背中合わせに対向配置した縦フレーム材(47)(48)間の隙間へ差し込まれて上下一対のボルト(49)(49)で取り付けられ、その横方向に長くなった先端部(50)が、平面外壁材(８)とこれに隣接する平面外壁材(51)との間の目地隙間(52)から外方へ突出するようにして取り付けられる。突出した先端部(50)には、垂直片がその先端部と直交するようにして取り付けられて庇固定部(53)とされている。
【００１５】
勝手口庇(１)は、図５に示すように、方形枠状のフレーム(60)と、このフレーム(60)の表面側に取り付けられた表面板(61)と、庇フレーム(60)の裏面側に着脱可能に取り付けられた凹凸部が連続してなる裏面板(62)とからなり、平面から見てやや横長の長方形状に形成されている。
【００１６】
この勝手口庇(１)の入隅部(３)への取り付けに際しては、まず、図６に示すように、庇フレーム(60)の左右方向一方の端部すなわち他方の外壁面に対向するフレーム材(63)の根元部分を、Ｌ型プレート(59)を介して第１取付プレート(21)の庇固定部(35)に当接させ、フレーム材(63)の先端部分を、第２取付プレート(22)の庇固定部(53)に当接させて、それらに横方向から差し込んだボルト(64)(64)で、フレーム材(63)を第１及び第２取付プレート(21)(22)に固定する。なお、ボルト(64)(64)の先端は、第１及び第２取付プレート(21)(22)の先端部(33)(50)に形成されたボルト回避用の切欠(65)(65)に挿入されるようになっている。
【００１７】
そして、この状態で、庇フレーム(50)の左右方向他方の端部を、フレーム材(63)とは反対側のフレーム材(66)と一方の外壁面に対向するフレーム材(67)との間の隙間(68)を介して腕木(20)へ上方から被せるようにして設置し、この腕木(20)へフレーム材(66)をボルト(69)で固定する。これによって、腕木(20)を介して一方の外壁面から張り出して設けた勝手口庇(１)の左右方向の一方の端部が、他方の外壁面側の第１及び第２取付プレート(21)(22)に固定された状態で、建物外壁の入隅部(３)に取り付けられる。なお、上記の取付時に勝手口庇(１)の裏面側からのボルトの締め付け等を可能とするために、取付作業が完了してから裏面板(62)を取り付けるようにしている。
【００１８】
【発明の効果】
以上のように、この発明では、建物外壁の入隅部において、勝手口庇を一方の軸組側の外壁材から張り出して設けて、その勝手口庇の左右方向一方の端部を他方の軸組側の取付部材へ固定しているから、従来の片持ち支持したものと異なって、勝手口庇の取付状態が安定してその取付強度を向上することができ、積雪等の荷重にも十分に耐え得る勝手口庇を得ることができる。
【００１９】
また、互いに直角に連結した軸組に対して、Ｌ字型のコーナー外壁材及び平面外壁材を取り付けるようにした入隅部の場合、コーナー外壁材と平面外壁材との間の目地隙間と、軸組のフレーム材とが位置的にずれることになるが、本発明では、その目地隙間から突出させた取付部材の基端部を、アーム部材を介して軸組に連結しているので、上記のような入隅部に対して取付部材を簡単にしかも安定して取り付けることができる。
【図面の簡単な説明】
【図１】建物外壁の入隅部における腕木及び取付プレートの取付状態を示す平面図である。
【図２】同じくその斜視図である。
【図３】腕木の取付状態を示す斜視図である。
【図４】取付プレートの取付状態を示す斜視図である。
【図５】勝手口庇の一部を破断した斜視図である。
【図６】取付プレートへの勝手口庇の取付状態を示す縦断面図である。
【図７】腕木への勝手口庇の取付状態を示す縦断面図である。
【図８】勝手口庇の取付後の状態を斜め上方から見た斜視図である。
【符号の説明】
(１)  勝手口庇
(３)  入隅部
(４)  一方の軸組
(５)  他方の軸組
(６)  コーナー外壁材
(７)(８)  平面外壁材
(10)  他方の軸組の縦フレーム材
(21)  第１取付プレート
(22)  第２取付プレート
(31)  取付部材の基端部
(32)  アーム部材
(34)(52)  目地隙間
(41)  固定部
(43)  保持部
(44)  連結部
(51)  隣接する平面外壁材
【図１】
0003705329.tif 000002
【図２】
0003705329.tif 000003
【図３】
0003705329.tif 000004
【図４】
0003705329.tif 000005
【図５】
0003705329.tif 000006
【図６】
0003705329.tif 000007
【図７】
0003705329.tif 000008
【図８】
0003705329.tif 000009